Podtech/llm-jp-corpus-v4-ja_patent huggingface dataset:
(57)【要約】      （修正有）【課題】樹脂製サッシやアルミと樹脂の複合サッシの断熱性、耐風性、耐候性、防火性、剛性を向上するアルミ製断熱サッシを提供する。【解決手段】アルミ製障子とアルミ製サッシ枠からなるアルミ製サッシにおいて、アルミ製障子の内枠２と外枠１を、樹脂繋ぎ材３で熱絶縁しながら連結し、アルミ製サッシ枠も同様に内枠６と外枠７を樹脂繋ぎ材４にて熱絶縁しながら連結させ、アルミ製障子とアルミ製枠材の中空部に、密着強度と高断熱性能の有した樹脂断熱材５を注入し、サッシの断熱性向上に加え、樹脂断熱材５の密着性によってサッシ強度も向上させた。【選択図】図１
0003218870.tif 000002
【実用新案登録請求の範囲】
【請求項１】
アルミ製障子とアルミ製サッシ枠からなるアルミ製サッシにおいて、アルミ製障子の内枠と外枠を、樹脂繋ぎ材で熱絶縁しながら連結し、アルミ製サッシ枠も同様に内枠と外枠を樹脂繋ぎ材にて熱絶縁しながら連結させ、アルミ製障子とアルミ製枠材の中空部に、密着強度と高断熱性能の有した樹脂断熱材を注入し、サッシの断熱性向上に加え、樹脂断熱材の密着性によってサッシ強度も向上させた事を特徴としたアルミ製断熱サッシ。
【考案の詳細な説明】
【技術分野】
【０００１】  本考案は、アルミ製枠内とアルミ製障子内に密着強度と高断熱性能の有した樹脂断熱材を注入し、サッシの断熱性向上に加え、樹脂断熱材の密着性によってサッシ強度も向上させた断熱サッシに関するものである。
【背景技術】
【０００２】  現在市販されている高断熱性能を有したサッシは、樹脂製サッシ、樹脂とアルミの複合サッシ、木製サッシのみであり、アルミサッシは高断熱性能を有しているとは言えない性能である。【０００３】  しかし、住宅の開口部に断熱性能と防火性能を求めた場合、樹脂製サッシ、木製サッシでも断熱性能・防火性能を有する事ができるが、非常にコストが高い。そのため、樹脂とアルミの複合サッシを使用する場合が多くあるが、冬期間、窓に膨大な結露が生じる。
【考案の概要】
【考案が解決しようとする課題】
【０００４】  樹脂製サッシは内部の補強金物が熱伝達し、樹脂製とアルミ製の複合サッシは断熱性能に限界があり、木製サッシはメンテナンス対応に課題があった。【０００５】  樹脂製サッシは耐風強度、樹脂とアルミの複合サッシは結露対策、木製サッシは紫外線劣化の課題が付きまとっていた。【０００６】  防火性能を有する素材のアルミサッシに、高断熱性能を有する事ができれば、住宅の断熱性・防火性が上がり、かつそれが安価に可能となり、既述の問題を解決で
【課題を解決するための手段】
【０００７０００３】  本考案は、熱伝導率の高い課題があったが、一方で耐候性と防火性、剛性、強度のあるアルミ製障子とアルミ製サッシ枠を、密着強度と断熱性能の高い樹脂断熱材で、一層の剛性強度をアップさせ、間隔を離す事で断熱性能とサッシ強度を向上した事を特徴とする。
【考案の効果】
【０００８】  本考案は以上の構造になっているため、剛性と耐候性、防火性の高いアルミフレームだけで高断熱性能を有し、サッシ強度も向上させた開口部が提供できる。【０００９】  本考案は、断熱性能と密着強度の高い樹脂断熱材を用いているため、ビス止めやホゾ止めよりはるかに優れた強度を有する効果がある。【００１０】  本考案は、サッシを構成する部材の形状が極めてシンプルなため、加工手間を大幅に削減出来る効果がある。
【図面の簡単な説明】
【００１１】
【図１】本考案の開き形式窓の断面図
【図２】本考案の引違い形式窓の断面図
【図３】本考案実施例の開き形式窓の断面図
【図４】本考案実施例の引違い形式窓の断面図
【考案を実施するための形態】
【００１２】  断熱性能が求められる開口部の高断熱サッシとして、開き形式窓と引違い形式窓の形態となる。
【００１３】  以下、本考案の実施の形態を図１〜図２に基づいて説明する。
【００１４】  図１は本考案の開き形式窓である。
断熱ガラス８を抑えるビート材９と、水切りビート材１０を掴む形状のアルミ製障子外枠１と同じく、アルミ製障子内枠２を樹脂繋ぎ材３で連結し、その内部に密着強度と高断熱性能を有した樹脂断熱材５を注入する。
アルミ製サッシ外枠７と防水クッション材１３を取り付けたアルミ製サッシ内枠６を樹脂繋ぎ材４で連結し、その内部に密着強度と高断熱性能を有した樹脂断熱材５を注入した形状を、四方を同等に構成した手段を用いている。
【００１５】  図２は本考案の引違い形式窓である。
断熱ガラス８を抑えるビート材９と、水切りビート材１０を掴む形状のアルミ製障子外枠１と同じく、アルミ製障子内枠２を樹脂繋ぎ材３で連結し、その内部に密着強度と高断熱性能を有した樹脂断熱材５を注入し、アルミ製障子内部の一部に戸車１１を取り付ける。
アルミ製サッシ内枠６とアルミ製サッシ外枠７の上部に戸車突起レール１４を付けた形状とした。
アルミ製サッシ内枠６とアルミ製サッシ外枠７の上部連結部は、水処理のために深さのある溝付樹脂材１２、下部連結部は樹脂繋ぎ材４で連結し、その内部に密着強度と高断熱性能を有した樹脂断熱材５を注入する。
方立枠と上枠は水切りビート材を掴んだ形状で四方を構成し、内部に密着強度と高断熱性能を有した樹脂断熱材５を注入した手段を用いている。
【００１６】  アルミ製障子外枠１とアルミ製障子内枠２及び、アルミ製サッシ内枠６とアルミ製サッシ外枠７の内部に樹脂断熱材５との密着面積を多くするための突起１５を設けた本考案の実施例。
【実施例】
【００１７】  アルミ製障子内枠２を樹脂製で構成した本考案の実施例。【００１８】  アルミ製サッシ内枠６を樹脂製で構成した本考案の実施例。【００１９】  押出し窓と嵌め殺し窓を組み合わせた本考案の実施例。【００２０】  片側に嵌め殺し窓をつけた片引き戸の本考案の実施例。【００２１】  アルミ製障子やアルミ製サッシ枠にラミネート加工した本考案の実施例。
【符号の説明】
【００２２】１・・・・アルミ製障子外枠
２・・・・アルミ製障子内枠
３・・・・樹脂繋ぎ材
４・・・・樹脂繋ぎ材
５・・・・樹脂断熱材
６・・・・アルミ製サッシ内枠
７・・・・アルミ製サッシ外枠
８・・・・断熱ガラス
９・・・・ビート材
１０・・・水切りビート材
１１・・・戸車
１２・・・溝付樹脂材
１３・・・防水クッション材
１４・・・戸車突起レール
１５・・・突起
【図１】
0003218870.tif 000003
【図２】
0003218870.tif 000004
【図３】
0003218870.tif 000005
【図４】
0003218870.tif 000006
(57)【要約】      （修正有）【課題】本の持ち運びや読書に当たっての装飾、および本体保護を目的に着脱を容易にしたブックカバーを提供する。【解決手段】一端に本の表紙を差し込む部分を設けた２つのブックカバーＡ、Ｂからなる分割型ブックカバーであって、２つのブックカバーＡ、Ｂの一方のブックカバーＢはほぼ本の大きさにし、他方のブックカバーＡは本の背表紙を回り込めるように大きくし、２つのブックカバーＡ、Ｂの一端とは反対側の他端を互いに面ファスナー又はホック又はボタンで固定することにより、本に容易に装着が可能である。また、他方のブックカバーＡの背表紙部の内側の上端より数ミリ下に上向きに固定し、先端部に結び目をつけた色違いの２本のしおりＣを設けた。【選択図】図１
0003218861.tif 000002
【実用新案登録請求の範囲】
【請求項１】
本考案のブックカバーは全体的に二分割されたブックカバーであって、カバーの一方はほぼ本の大きさ、他方は本の背表紙を回り込めるように大きくしてマジックテープ等で固定する、本に容易に装着が可能であることを特徴とするブックカバー。
【請求項２】
本考案のブックカバーのしおりは、ブックカバーの背の内側の数ミリ下に上向きに固定し、先端部に結び目をつけた色違いの２本のしおりであることを特徴とする。
【考案の詳細な説明】
【技術分野】
【０００１】  本考案は本を容易に着脱できるように構成した分割型ブックカバーに関する。
【先行技術文献】
【特許文献】
【０００２】
【特許文献１】実願２０１０−００３７６７、実登３１６１９１３
【特許文献２】実願２０１６−００５９５７、実登３２１１０２１
【０００３】  従来の一体的なブックカバーは、読書や本を持ち運びする場合、装飾や本の損傷防止のため、ブックカバーを装着していた。そして、着脱が面倒であったり、本やブックカバーを損傷させる可能性があったりしていて、不便であった。【０００４】  分割されたブックカバー［文献２］で一方のカバーに挿入穴を設け、他方に差し込み固定する構造は本をセットするのが煩わしく、いきおいカバーを破損する恐れが考えられる。
【考案の概要】
【考案が解決しようとする課題】
【０００５】  本考案は、かかる状況に鑑み、本への着脱が容易なブックカバーを提供することを課題としたものである。
【課題を解決するための手段】
【０００６】  本考案のブックカバーは二分割にし、一方Ｂのブックカバーの袋部に本を差し込み、他方Ａのブックカバーに表表紙を差し込んで、本の背部を超えて巻き込み、先端で他方のブックカバーをマジックテープ等で固定できるようにしたものである。【０００７】  また、本考案の分割型ブックカバーのしおりは、本の高さに合わせブックカバー上端より若干下に、且つ上向きに固定することにより、ブックカバーの上端が崩れたり、損傷したりしないようにできている。【０００８】  また、本考案の分割型ブックカバーの二本のしおりは先端部に結び目をつけることにより、しおりを本にセットする時にしおりを引くが、気を付けなくても手から外れないで、且つその先端がほつれにくく、長持ちするようになっている。【０００９】  また、本考案のしおりは色違いの２本を装着することにより、読書中に気にかけたページには一方の色のしおりを使用する事により、他のしおりと区別ができ、読書の進行が支障なく進められる。
【図面の簡単な説明】
【００１０】
【図１】本考案の一実施例で、分割型ブックカバー全体が本を収納した様子を説明した図である。
【図２】図１における本の背表紙にあたる部分に２本の先端部が結び目付き１のしおりＣをカバー上端より数ｍｍ下２に固定３し、且つしおりの方向を上方４にした図である。
【図３】本考案の分割型ブックカバーＡおよび，Ｂの外周の重なり部分の先端５，６付近は、それぞれ若干面を斜めに面をとりへこませて、、その先端部５，６がそれぞれの他のブックカバーＢ、およびＡの外周よりはみ出さないで、取扱い時に手に当たらない構造にした図である。
【本考案を実施するための形態】
【００１１】  本考案の分割型ブックカバーと本との関係は、従来の一体的なブックカバーと同様にこれまで通り何の支障なく使用可能である。
【実施例１】
【００１２】  本考案の分割型ブックカバーＡとＢとのの固定は通常マジックテープで固定されるが、ホックやボタンでの方法や、マジックテープの本数とか、水平か垂直かとか、固定法に特定されない。【００１３】  本考案の分割型ブックカバーの２本の結び目付きしおりの材料は平織が、筒形織より好ましい。【００１４】  ［図１］はブックカバーＡが横に長く背表紙を巻き込み、ブックカバーＢに固定する構造としているが、カバーＡ，Ｂのどちらを長くするかは特定されない。また、図の長い巻き込む方Ａが表になるか、裏になるかは特定されない。
【産業上の利用可能性】
【００１５】  従来の一体的なブックカバーはバンドを、ブックカバー本体の上下端に縫い付けるが、縫い代により本を入れにくい状況が起こり得るが、本考案のブックカバーにはそれが起こりにくく安心感がある。【００１６】  本考案のブックカバーは、文庫本、新書本や単行本などの本の大きさによって、構造は何ら特定されない。
【符号の説明】
【００１７】Ａ；右側ブックカバー
Ｂ；左側ブックカバー
Ｃ；二本のしおり
ＡＡ；右側ブックカバーの背表紙部
１；しおりの結び目
２；しおりの固定位置
３；しおりの固定
４；しおりの固定方向
５；分割型ブックカバーＡの重なり先端部（上下共）
６；分割型ブックカバーＢの重なり先端部（上下共）
７；分割型ブックカバーＡの重なり先端部の面取り（上下共）
８；分割型ブックカバーＢの重なり先端部の面取り（上下共）
【図１】
0003218861.tif 000003
【図２】
0003218861.tif 000004
【図３】
0003218861.tif 000005
【手続補正書】
【提出日】平成30年9月3日(2018.9.3)
【手続補正１】
【補正対象書類名】実用新案登録請求の範囲
【補正対象項目名】全文
【補正方法】変更
【補正の内容】
【実用新案登録請求の範囲】
【請求項１】
一端に本の表紙を差し込む部分を設けた２つのブックカバーからなる分割型ブックカバーであって、前記２つのブックカバーの一方はほぼ本の大きさにし、他方は本の背表紙を回り込めるように大きくし、前記２つのブックカバーの前記一端とは反対側の他端を互いに面ファスナー又はホック又はボタンで固定することにより、本に容易に装着が可能であることを特徴とする分割型ブックカバー。
【請求項２】
請求項１に記載の分割型ブックカバーであって、前記他方のブックカバーの背表紙部の内側の上端より数ミリ下に上向きに固定し、先端部に結び目をつけた色違いの２本のしおりを設けたことを特徴とする分割型ブックカバー。
(57)【要約】      （修正有）【課題】挿入部分にカーブを付けることで肛門を探しやすい、挿入部分をカーブした浣腸を提供する。【解決手段】溶液収納部１から筒状に延びた挿入部２にカーブを付ける。このように挿入部分にカーブを付けることで、簡単に使用できる。【選択図】図２
0003218882.tif 000002
【実用新案登録請求の範囲】
【請求項１】
溶液収納部から筒状に延びた挿入部にカーブを付けたことを特徴とする挿入部分をカーブした浣腸。
【考案の詳細な説明】
【技術分野】
【０００１】  本考案は、浣腸に関するものである。
【背景技術】
【０００２】  浣腸の挿入部分を加工したものは、殆んど無かった。
【考案の開示】
【考案が解決しようとする課題】
【０００３】  挿入部分にカーブを付け、肛門に挿入しやすくすることで前途の欠点を解決しようとするものである。
【課題を解決するための手段】
【０００４】  浣腸の挿入部分にカーブを付けることで問題点を解決している。
【考案の効果】
【０００５】  上途のように浣腸の挿入部分にカーブを付けることで、肛門に簡単に挿入できる。
【考案を実施するための最良の形態】
【０００６】  浣腸の挿入部分をカーブとする。
【実施例】
【０００７】  以下、添付図面に従って実施例を説明する。１の溶液収納部分から、２の挿入部分につないだ状態で２の挿入部分にカーブを付ける。【０００８】  本考案の実施例は、上途の如き構成からなるものであり、浣腸を肛門に挿入しやすくしたものである。
【図面の簡単な説明】
【０００９】
【図１】正面図
【図２】側面図
【符号の説明】
【００１０】  １  溶液収納部
２  浣腸挿入部
【図１】
0003218882.tif 000003
【図２】
0003218882.tif 000004
(57)【要約】      （修正有）【課題】一定時間後の自動消火を可能とするオフタイマー機能を有し、また、併せて、缶箱内における固定を可能とし、燃焼中の線香の散乱を防ぐとともに吊るした状態での持ち運びを可能とする蚊取り線香の自動消火器具を提供する。【解決手段】２枚の板金により構成される。上面部の一辺を蚊取り線香の渦巻状の弧に合わせた形状とすることにより線香の最外部においても器具内への収納を可能とする。また、弧の長さを５ｃｍとすることにより概ね３０分の目盛に相当することを特徴し、就寝時等に目安となるオフタイマーの役割を果たす。扇形面からロの字型部まで一定の高さを確保することで支え棒が如く缶箱内に固定する役割を有する。【選択図】図１
0003218648.tif 000002
【実用新案登録請求の範囲】
【請求項１】
楕円型の切口を有する円筒状の部位と消火までの時間目盛りの役割を果たす扇形付属物の間に支柱を設けることにより缶箱型収納具に蚊取り線香を固定するための自動消火器具。
【考案の詳細な説明】
【技術分野】
【０００１】  本考案は、缶箱型収納器具内に渦巻型蚊取り線香を固定しつつ、所要時間における自動消火を可能にする器具に関するものである。
【背景技術】
【０００２】  渦巻型蚊取り線香に付属の缶箱型収納器具は周囲を覆うことで火災や火傷防止等を目的とするものであるが、その効果を保つには水平を保たねばならず、作業時において腰に吊るす等の際には揺られることで線香が缶下に落下したり、箱外に散乱したりする危険性があった。
また、空気を遮断することで自動消火を可能とするロの字型もしくはコの字型の器具は存在するものの、位置による消火までの時間が分かりにくいという欠点があった。
【先行技術文献】
【特許文献】
【０００３】
【特許文献１】特開平１０−２８５０９
【特許文献２】実用新案第３０２０６９９
【考案の概要】
【考案が解決しようとする課題】
【０００４】  本考案は蚊取り線香の渦巻に着目し、扇形の付属物を備えることにより一定時間後の自動消火を可能とするオフタイマー機能を有するものである。また、併せて、扇形付属物と消火器具の間に一定の距離を持たせることにより缶箱内において線香が固定されることから燃焼中の線香の散乱を防ぐことが可能となる。
【課題を解決するための手段】
【０００５】  本考案は、２枚の板金により構成される。上面を渦巻状の弧に合わせた扇形とすることにより線香の最外部においても器具内への収納を可能とし、弧の長さを５ｃｍとすることで概ね３０分の目盛に相当することを特徴とする。一般に市販されている渦巻き型蚊取り線香は全長約７５ｃｍであり耐久時間が７〜８時間程度であることは一般に知られておらず、就寝時等に目安となる。
扇形面からロの字型部まで一定の高さを確保することで支え棒が如く缶箱内に固定する役割を有する。但し、高さについてはメーカー仕様により差異が生じることに留意する必要がある。
【考案の効果】
【０００６】  缶箱型収納器具内に渦巻型蚊取り線香を固定することにより、燃焼途中の線香が散乱することを防ぎ、横にして吊るした状態での持ち運びを可能とする。また、一定時間内における自動消火が可能となる。
【図面の簡単な説明】
【０００７】
【図１】本考案の斜視図である。
【図２】本考案の展開図である。
【図３】本考案の利用時の実施例を示す斜視図である。
【考案を実施するための形態】
【０００８】  予め当考案の弧の部分を利用して渦巻型蚊取り線香の消火までの時間と位置を計測し、筒状部を蚊取り線香が通る形でその位置まで移動させる。その後、付属の缶箱に収納することで缶箱内において蚊取り線香が固定され、点火後も横にした状態でも持ち運びが可能となり、定時の自動消火が可能となる。
【実施例】
【０００９】  以下、添付図面に従って一実施例を説明する。
図２は不燃性板金の展開図であり、本考案の２ａ及び２ｂの２部品により構成される。２ｂを折り曲げることにより支柱部を作成し、２ａの上に置いて外縁部を折り曲げることにより固定。完成図が図１である。【００１０】  図３が収納イメージ図であり、完成品を蚊取り線香に装着後、缶箱の上蓋部、蚊取り線香、底敷き、缶箱の底部の順に収納、底敷きが弾力性を備えており、自動的に固定される仕組みとなる。
【符号の説明】
【００１１】１    消火具本体
２ａ  考案の部品（弧状部）
２ｂ  考案の部品（支柱部）
３    缶箱の上蓋部
４    装着後の蚊取り線香
５    底敷き
６    缶箱の底部
【図１】
0003218648.tif 000003
【図２】
0003218648.tif 000004
【図３】
0003218648.tif 000005
(57)【要約】      （修正有）【課題】植物への水やりを自動化する植物用自動給水装置を提供する。【解決手段】脚部１を持ち、その上に水槽２が設置され、給水対象４より高い位置に水槽２を置き、毛細管現象を有する紐または板３が水槽２内部の底から水槽２の外壁を超えつつ水槽２の底よりも低い位置まで伸びた状態で設置されている。【選択図】図１
0003218644.tif 000002
【実用新案登録請求の範囲】
【請求項１】
脚部を持ち、その上に水槽が設置され、毛細管現象を有する紐または板が水槽内部の底から水槽の外壁を超えつつ水槽の底よりも低い位置まで伸びた状態で設置されていることを特徴とする自動給水装置
【考案の詳細な説明】
【技術分野】
【０００１】      本考案は、主に植物への水やりを自動化する目的に使用されるものである。
【背景技術】
【０００２】
【先行技術文献】
【特許文献】
【０００３】
【特許文献１】実開平０５−００４８６２
【特許文献２】実開平０５−０９１３０２
【非特許文献】
【０００４】
【非特許文献１】
【考案の概要】
【考案が解決しようとする課題】
【０００５】植物に自動で給水を行う装置として様々な構造のものが考案されている。
この点で必要な機構の基本的な要素がよく表されているものに、例として特許文献１がある。
しかしながら従来の方法を用いる場合は、「人の手が加わらない間に故障した場合の備え」をさらに追加で考慮する必要があった。
例えば上記の例ではポンプやセンサーの故障により給水が行われなくなったり、逆に給水のし過ぎで周囲を水浸しにしてしまったり、ポンプやセンサーの動力源となる電気や燃料により感電や火災の危険もある。
くわえて配管内部の詰まりが発生する可能性もあるためこの点でも定期的なメンテナンスや液体の混入物に対する考慮が必要である。
上記の問題のうちの多くを解決した特許文献２があるが、装置自体に専用の加工が必要な複雑さがある
そこで本考案では、ここで挙げた故障の原因を全て解決し極めて高い信頼性を持たせたうえで、なおかつ装置の制作や設置が容易な自動給水装置を提供することを目的とする。
【課題を解決するための手段】
【０００６】上記目的を実現する第一考案は、脚部を持ち、その上に水槽が設置され、毛細管現象を有する紐または板が水槽内部の底から水槽の外壁を超えつつ水槽の底よりも低い位置まで伸びた状態で設置されていることを特徴とする自動給水装置である。
【考案の効果】
【０００７】本考案を用いることにより、機械的および電気的な動力源を用いる事による故障の不安が一切なくなり、また構造上、配管のつまりに関しても全く心配する必要が無くなる。
加えてこれらは、行おうと思えば「テーブルと水の入ったコップとトイレットペーパー」といった身近なものであっても、特別な道具を用いずに容易に自動給水装置の制作が可能となる。
【図面の簡単な説明】
【０００８】
【図１】本考案の一実施形態を表す側面図である
【考案を実施するための形態】
【０００９】本考案の一実施形態を図１に表す。
まず脚部１があり、その上に水槽２がある。
水槽２の底からは毛細管現象を有する紐または板３が、水槽の外壁を超えてさらに水槽の底部より低い位置まで伸びており、その外部先端の下には給水対象４が設置されている。
本考案を実施する場合に、図１では棒状の脚部で表現しているが、これは給水対象４よりも高い位置に水槽があればどのような形態であっても、例えば箱状であったり板状であったりしても構わない。
毛細管現象を有する紐または板３は、液体がしみ込むものであればどのような材質であっても、例えば布やティッシュペーパー、あるいはトイレットペーパーであっても構わない。
また毛細管現象を有する紐または板３から滴下する水の量を必要に応じて調整するには、水槽外部にあるこの部分の先端を水槽１内部の水面より低くする事で多くなり、高くすると少なくすることが容易にできる。
本考案を実施することにより故障の心配もなく長期間の植物への給水が迅速かつ低コストで可能であり、また別の場面ではペットのカメレオンへの給水など、動くものにしか反応しない動物への給水も可能である。
【実施例】
【・・・・】
【産業上の利用可能性】
【・・・・】
【符号の説明】
【・・・・】
【図１】
0003218644.tif 000003
(57)【要約】      （修正有）【課題】梅の果実から果肉を取り外した後に残る種と種の周辺に残留した果肉を有効活用する液体消臭剤兼芳香剤を提供する。【解決手段】梅干しの種とその周辺の残留果肉１を顆粒状ないし小粒状にまで破砕したもの２を、常温で純水に懸濁し、浸漬抽出３をして得られたクエン酸水溶液を、噴霧器または揮散器入り液体消臭剤兼芳香剤とする。【選択図】図１
0003218649.tif 000002
【実用新案登録請求の範囲】
【請求項１】
梅干しから果肉を取り外す加工の後に残る種と種から取り外しきれずに種の周辺に残留した果肉を、種皮内部の仁を露出させる様に破砕し、それを水で抽出して得るクエン酸水溶液をアンモニア臭に対して用いる消臭剤とした、噴霧器または揮散器入りの液体消臭剤兼芳香剤。
【考案の詳細な説明】
【技術分野】
【０００１】  本考案は、屋内各所、特にトイレにおいて問題となっている、アンモニア臭に対して用いられる液体消臭剤兼芳香剤に関するものである。
【背景技術】
【０００２】  アンモニアは、悪臭防止法において特定悪臭物質のひとつとして挙げられている。気体で存在するアンモニアは、水（Ｈ２Ｏ）と気液接触をした際には水によく溶けることが広く知られている。（特許文献１では、排ガス中の気体のアンモニアを水に吸収させアンモニア水として回収する方法と装置が提案されている。）アンモニア臭を消臭するのには、クエン酸が有効であることは広く知られている。（特許文献２では、冷蔵庫内の冷気のアンモニア臭をクエン酸を用いて消臭する技術が提案されている。）アンモニアはクエン酸と中和反応をしてクエン酸三アンモニウムに変化するが、クエン酸三アンモニウムにはアンモニアほどの強い悪臭は無い。【０００３】  花や種子や木材のチップ等など植物性素材は、主にその油脂分に含有するテルペン類、芳香族化合物、脂肪族化合物によって、好ましい匂いを放つ芳香の効能があると知られている。（特許文献３では、梅の種から植物油脂を得る技術が提案されている。）【０００４】  梅干しを利用するにあたって、果肉は食用として需要が多いが、種は種皮が硬い為に容易に食用にならない。そこで果肉だけを利用する場合に、果肉を種の周辺から取り外す加工あるいは果肉の中から種を抜きとる加工がおこなわれている。（特許文献４では、梅干しの種抜き装置が提案されている。）
【先行技術文献】
【特許文献】
【０００５】
【特許文献１】特開平１１−２５３７４５
【特許文献２】特開２００５−９７８４
【特許文献３】特開平９−７１７９７
【特許文献４】特開２００３−２２９６３１
【考案の概要】
【考案が解決しようとする課題】
【０００６】  梅干しから果肉を取り外した後に残る種と種から取り外しきれずに残留した果肉は、食用として求められないため廃棄されがちである。また、廃棄しようにも種皮が硬くて耐久性が高いことや塩分を含んでいることが理由で堆肥化や焼却が困難であり、梅干し製品の産地や加工場にとっては処分が課題であった。そこで、当該梅干しの種とその周辺の残留果肉を有効活用する方法を提供して、いたずらに廃棄される量を削減し、処分の課題を解消したい。
【課題を解決するための手段】
【０００７】  トイレ等のアンモニア臭を消臭するのには、その発生源に対して、クエン酸水溶液を吹きかけると良い。梅干しがクエン酸と芳香成分を含有していることに着目し、廃棄されがちである梅干しの種とその周辺の残留果肉を純水で浸漬抽出して得られるクエン酸水溶液を、容器入り液体消臭剤兼芳香剤に加工して提供する。
【考案の効果】
【０００８】  本考案は、廃棄されがちである梅干しの種の再製品化に寄与するものである。
【図面の簡単な説明】
【０００９】
【図１】本考案にかかる液体消臭剤兼芳香剤の製造工程の模式図である。
【図２】本考案にかかる液体消臭剤兼芳香剤を、トリガー式霧吹き器および置き型芳香剤容器に収めている実施例の斜視図である。容器を一部透視して内部を示してある。
【図３】本考案にかかる液体消臭剤兼芳香剤を、２０１７年３月１４日に和歌山県工業技術センターにおいてアンモニアの脱臭効果試験を行った試験分析等成績表の複写である。
【考案を実施するための形態】
【００１０】  図１は本考案にかかる液体消臭剤兼芳香剤の製造工程の模式図であり、１は梅干しの種と種から取り外しきれずに残留した果肉である。
【００１１】  当該梅干しの種と残留果肉から有効成分を水に抽出した液体消臭剤兼芳香剤を作成するには、当該梅干しの種と残留果肉を、常温で純水に懸濁し、浸漬抽出を行う必要がある。このとき、当該梅干しの種と残留果肉がそのままの形状であっては望ましくなく、表面積を広くとる加工と種皮内部の仁を露出させる加工を施す必要がある。すなわち、長軸方向で１センチメートル未満の顆粒状ないし小粒状に破砕することが最良である。
【００１２】  また、抽出工程の際には、加熱して煮出す等を行うと梅干しの香りの風合いが変化してしまうため、全てを常温で行うのが望ましい。
【００１３】  抽出工程の後に、液体消臭剤兼芳香剤から固形物を取り除く為に濾過を施す。
【００１４】  最後に、濾過工程で固形物を取り除いた液体消臭剤兼芳香剤を、噴霧器または揮散器に充填して用いる。
【実施例】
【００１５】  本考案にかかる液体消臭剤兼芳香剤を、トリガー式霧吹き器や電動式スプレイヤー等の任意の方向に対して液体を霧状にして吹きかけられる噴霧器を用いて、トイレ等のアンモニア臭の発生源に吹きかけて用いる。【００１６】  本考案にかかる液体消臭剤兼芳香剤を、置き型芳香剤容器やアロマディフューザーや電動式加湿器等の揮散器を用いて、アンモニア臭を取り除きたい任意の居室内に充満させて用いる。【００１７】  本考案にかかる液体消臭剤兼芳香剤を、トリガー式霧吹き器に収めた実施例と、置き型芳香剤容器に収めて安置した実施例を図２に示す。
【産業上の利用可能性】
【００１８】  梅干し製品の産地や加工場において、梅干しの果肉を用いる製品の生産が不断に行われている為、その副産物として、梅干しから果肉を取り外した後に残る種と種から取り外しきれずに残留した果肉の部位も同じくして生産されているが、当該部位は食用として求められないため廃棄されがちである。本考案によって、当該梅干しの種と残留果肉を有用なる液体消臭剤兼芳香剤に加工する方法を提供すれば、いたずらに廃棄される量が削減でき、処分の課題が解消される為、産業上の利用可能性は高いと言える。
【符号の説明】
【００１９】  １  梅干しから果肉を取り外した後に残る種と種から取り外しきれずに残留した果肉
２  当該梅干しの種と残留果肉を乾燥させ破砕させてなる原料
３  浸漬抽出工程
４  濾過工程
５  噴霧器（トリガー式霧吹き器）
６  揮散器（置き型芳香剤容器）
【図１】
0003218649.tif 000003
【図２】
0003218649.tif 000004
【図３】
0003218649.tif 000005
(57)【要約】      （修正有）【課題】携行する蚊取り線香を雨・つゆ・散水の水から守り安定して煙を出すこと、蚊取り線香を交換するとき内部の清掃が簡単な操作でできること、さらに、簡単な構造で安価に大量に作ることができる蚊取り線香防雨防湿カバーを提供する。【解決手段】蚊取り線香容器２に蚊取り線香防雨防湿カバー１をかぶせ、カバーの上に小穴５を開け、吊り下げ金具６を通すことでカバーを上下移動自在とした。吊り下げ金具は、より長くすることで（例えば１０ｃｍくらい）、蚊取り線香容器の内部交換・清掃が容易になる。また、蚊取り線香防雨防湿カバーの材質をアルミニウムなどで防火と共に軟らかく作ることで、前後に開いて蚊取り線香容器を取り出しやすくした。 【選択図】図１
0003218660.tif 000002
【実用新案登録請求の範囲】
【請求項１】
屋外作業のための蚊取り線香容器を腰ベルト等に吊下げるタイプの蚊取り線香容器において、防雨・防湿を目的としたアルミ等耐火性のある蚊取り線香防雨防湿カバーを前後に開くことができる状態で蚊取り線香容器にかぶせて構成したことを特徴とする蚊取り線香の防雨防湿カバー構造。
【請求項２】
防雨防湿カバー上部に小穴を設け、吊り下げ金具により該防雨防湿カバーを上下に移動自在としたことを特徴とする請求項１記載の蚊取り線香の防雨防湿カバー構造。
【考案の詳細な説明】
【技術分野】
【０００１】
本考案は蚊取り線香を野外で使用する際、防雨防湿を目的として付けるカバーの構造に関するものである。      
【背景技術】
【０００２】
屋外作業で香取り線香を携行する場合、雨やつゆで消えることがよくあった、特に水撒き作業中はよく消えた。
【先行技術文献】
【特許文献】
【０００３】
【特許文献１】特開２００３−２３５４２８号公報
【特許文献２】特開２００２−１３６２５４号公報
【考案の概要】
【考案が解決しようとする課題】
【０００４】
携行する蚊取り線香４を雨・つゆ・散水の水から守り、安定してけむりを出すことと、蚊取り線香４の入れ替えが簡単なこと、あわせて作る費用が少なく簡単に大量に作れること
【課題を解決するための手段】
【０００５】
屋外作業のための蚊取り線香容器を腰ベルト等に吊下げるタイプの蚊取り線香容器において、防雨・防湿を目的としたアルミ等耐火性のある蚊取り線香防雨防湿カバーを前後に開くことができる状態で蚊取り線香容器にかぶせて構成し、防雨防湿カバー上部に小穴を設け、吊り下げ金具により該防雨防湿カバーを上下に移動自在とした蚊取り線香の防雨防湿カバー構造。
【考案の効果】
【０００６】
蚊取り線香容器２を蚊取り線香防雨防湿カバー１で覆うことで防雨・防湿効果は大きくなった。
【図面の簡単な説明】
【０００７】
【図１】本考案の蚊取り線香防雨防湿カバー１の正面図
【図２】本考案の蚊取り線香防雨防湿カバー１の側面図
【図３】本考案の蚊取り線香防雨防湿カバー１の使用例
【考案を実施するための形態】
【０００８】
本考案の図1〜図3に基づいて詳細に説明する。
【実施例】
【０００９】
図１の正面図  蚊取り線香容器２に蚊取り線香防雨防湿カバー１を付けることで雨・露・散水の水滴から蚊取り線香容器２を守ることができるとともにけむりはけむり穴７から出てけむりの出る方向８に流れる。
【００１０】
蚊取り線香４の取り換え時に、蚊取り線香容器２を吊るした吊り下げ金具６を長くすることで（例えば１０ｃｍ）蚊取り線香防雨防湿カバー１の小穴５を通じて蚊取り線香防雨防湿カバー１を引き上げることができ、蚊取り線香容器２を開いて中の蚊取り線香４の取り換えを容易にする、この時、蚊取り線香防雨防湿カバー１を耐火性にすることと合わせ軟らかい素材にすることで手前にも開き、蚊取り線香容器２をより取り出しやすく蚊取り線香４の取り換えを容易にする。
【００１１】
蚊取り線香容器２は下の留め金具９によって固定され外れにくくなる。
【００１２】
蚊取り線香容器２自体が安価なものであり、蚊取り線香防雨防湿カバー１も安価で大量生産できるよう構造も簡単なものにした。  
【符号の説明】
【００１３】
１  蚊取り線香防雨防湿カバー
２  蚊取り線香容器
３  金アミ                                      
４  蚊取り線香                                                
５  蚊取り線香防雨防湿カバーの小穴              
６  吊り下げ金具
７  けむり穴
８  けむりの出る方向
９  留め金具
１０  上に上げた例
１１  前に開いた例
【図１】
0003218660.tif 000003
【図２】
0003218660.tif 000004
【図３】
0003218660.tif 000005
(57)【要約】      （修正有）【課題】手動式従来器具の欠点である「雑草抜き作業の高速化の困難」及び「雑草抜き作業による、作業者に及ぼす身体に対する負担」を軽減し、「より高速かつ容易に、雑草抜き作業を行うこと」ができる雑草抜き器具を提供する。【解決手段】肉厚金属パイプ棒の先端に、直接的に切り込み加工を施した主材部１と、インパクトドライバー用の六角ビット２を、中間支持金属パイプ棒３にて接合し、組み合わせる。立ったままでの楽な姿勢での作業が行えるので、作業者の身体への負担が軽減され、手動回転式に比べ、雑草根に強い衝撃力と高速回転を与える事が出来、雑草抜き作業が、より高速かつ容易に行える。また、刃先部分の材質が肉厚金属パイプ棒なので、構造が単純で剛性強度がある為、より強力な回転力にも刃先が破損する事なく、長期間に渡り、器具を使用する事が出来る。【選択図】図１
0003218651.tif 000002
【実用新案登録請求の範囲】
【請求項１】
肉厚金属パイプ棒の下端先端部に、切り込み刃先加工を施した主材部１と、インパクトドライバー用の六角ビット２とを、中間支持金属パイプ棒３にて接合し、組み合わせる事で、立ったままの楽な姿勢で、雑草根に強い衝撃力と高速回転を与え、従来の雑草抜き作業を、より高速かつ容易に行える事を特徴とする、雑草抜き器具。
【請求項２】
肉厚金属パイプ棒の先端部に、直接的に切り込み刃先加工を施した、単純構造の部材を使用することで、電動モーターによる強力な回転力に耐え、器具の破損が軽減されることを目的とした、請求項１記載の雑草抜き器具。
【考案の詳細な説明】
【技術分野】
【０００１】  本考案は、肉厚金属パイプ棒の下端先端部に、切り込み刃先加工を施した主材部１と、インパクトドライバー用の六角ビット２とを、中間支持金属パイプ棒３にて接合し、組み合わせる事で、立ったままの楽な姿勢で、雑草根に強い衝撃力と高速回転を与え、従来の雑草抜き作業を、より高速かつ容易に行う為の、雑草抜き器具に関する考案である。
【背景技術】
【０００２】  従来の雑草抜き器具（以下「従来器具」と表記）について、回転支持部がゴム製取手タイプの従来器具に於いては、手動回転式の為、雑草抜き作業の高速化が困難であった（例えば、特許文献１参照）。又、回転支持部がインパクト用ビットタイプの従来器具に於いては、しゃがんでの作業となる為に、長時間での雑草抜き作業は、作業者にとっては肉体的苦痛を強いられるものであった。（例えば、特許文献２参照）
【先行技術文献】
【特許文献】
【０００３】
【特許文献１】実登３２１４９９２
【特許文献２】実登３２１５８２８
【考案の概要】
【考案が解決しようとする課題】
【０００４】  本考案は、従来器具の欠点である「雑草抜き作業の高速化の困難」及び「雑草抜き作業による、作業者に及ぼす身体に対する負担」を軽減し、「より高速かつ容易に、雑草抜き作業を行う事」を目的とする事を課題とする。
【課題を解決するための手段】
【０００５】  上記の課題を解決する為に、肉厚金属パイプ棒の下端先端部に、直接的に切り込み刃先加工を施した主材部１と、インパクトドライバー用の六角ビット２とを、中間支持金属パイプ棒３にて接合し、組み合わせる事で、問題点を解決している。
【考案の効果】
【０００６】  本考案により、立ったままでの楽な姿勢での作業が行えるので、作業者の身体への負担が軽減され、従来器具に比べ、雑草根に強い衝撃力と高速回転を与えることが出来るので、雑草抜き作業が、より高速かつ容易に行える。【０００７】  本考案では、刃先部分の材質が肉厚金属パイプ棒なので、構造が単純で剛性強度がある為、電動モーターによる強力な回転力にも刃先が破損する事なく、長期間に渡り、器具を使用する事が出来る。
【図面の簡単な説明】
【０００８】
【図１】本考案の実施形態を示す平面図である。
【図２】本考案の刃先部の詳細図である。
【図３】本考案の使用時の概略図である。
【考案を実施するための形態】
【０００９】  図１は、本考案器具の構造の平面図であって、器具の下端部には、肉厚金属パイプ棒の先端部に、切り込み刃先加工を施した主材部１があり、器具の上端部のインパクトドライバー用の六角ビット２とを、中間支持金属パイプ棒３にて接合し、組み合わせる事で、立ったままの楽な姿勢で、雑草根に対して電動モーターにより、強い衝撃力と高速回転を与える事が出来、雑草抜き作業の高速化を容易にしている。
【実施例】
【００１０】  本考案器具の使用実施例としては、主材部１の刃先を、抜きたい雑草の根元部に軽く突き刺した状態で、インパクトドライバーのスイッチを入れる事で、高速かつ容易に、雑草根を絡め取る事が出来る。
【実施形態の効果】
【００１１】  刃先先端部の形状から、インパクトドライバーの回転力が、刃先に伝わり、雑草根が刃先に絡みとられて、雑草ごと除去する事が出来る。又、立ったままの楽な姿勢で作業が行えるので、作業者の身体への負担が軽減され、雑草根に対しては、電動モーターによる強い衝撃力と高速回転を与えることが出来るので、より高速かつ容易に雑草抜き作業を行う事が出来る。
【符号の説明】
【００１２】１  主材部肉厚金属パイプ  φ１０ｍｍ〜φ４０ｍｍ
（ステンレス鋼管・ガス鋼管等）
２  支持部軽量金属パイプ  φ１０ｍｍ〜φ２０ｍｍ
３  インパクトドライバー用の六角ビット部
４  刃先部
刃先部詳細
Ｄ：外形  φ１０ｍｍ〜φ４０ｍｍ
Ｔ：肉厚  １ｍｍ〜３ｍｍ
刃先長＞Ｄ  ２０ｍｍ〜８０ｍｍ
【図１】
0003218651.tif 000003
【図２】
0003218651.tif 000004
【図３】
0003218651.tif 000005
(57)【要約】      （修正有）【課題】占有空間が小さいだけでなく、携帯し易く、使い易く、収容機能及び長さ測定機能を兼備えるとともに、使い捨てすることができるため、消毒・洗浄する必要がなく、伝染病の感染を防ぐことができる、魚類の長さ測定用の袋を提供する。【解決手段】魚類の長さ測定用の袋は、一般の透明状袋体からなる袋本体１と、袋本体１の適宜な位置に設けられ、サイズ標示機能を有する目盛り２とを備える。目盛り２は、目盛り貼紙により代替されてもよい。【選択図】図３
0003218685.tif 000002
【実用新案登録請求の範囲】
【請求項１】
透明状袋体からなる袋本体と、
前記袋本体の適宜な位置に設けられ、サイズ標示機能を有する目盛りと、を備えることを特徴とする魚類の長さ測定用の袋。
【請求項２】
前記目盛りは、目盛り貼紙に表示されることを特徴とする請求項１に記載の魚類の長さ測定用の袋。
【考案の詳細な説明】
【技術分野】
【０００１】
本考案は、魚類の長さ測定用の袋に関し、特に、簡便、高効果、実用的、運用が完全な魚類の長さ測定用の袋であり、鑑賞用の魚を搬送するときに必要な収納装置に運用可能であり、これら袋上に設けた目盛りにより、測定を容易かつ高効率に行うとともに、魚を測定する際に魚を傷つけてしまうことを防ぐ魚類の長さ測定用の袋に関する。
【背景技術】
【０００２】
従来の活魚用スケール（図１及び図２を参照する）の大部分は、固定された体積及び重量のスケール板３であり、実際に使用する際、魚体４をスケール板３上に置き、目盛り２により測定してから袋の中に入れた。
【０００３】
しかし、従来の魚類測定用のスケール板３は、一定の保存空間を占有し、携帯に不便であるなどの基本的な構造の欠点を有し、伝染病の感染を防ぐために、魚体４の長さを測定する度に魚類測定用のスケール板３を予め消毒しなければならず、使用が面倒である上、魚がスケール板３上で転がり易いため測定が不便であり、魚体４が傷ついて最悪の場合、死亡することがあり、手間がかかった。
【０００４】
そのため、上述したような従来技術の問題点を改善する技術が求められていた。
【０００５】
こうした現状に鑑み、本考案者は鋭意研究を重ねた結果、本考案の魚類の長さ測定用の袋を完成したものである。
【考案の概要】
【考案が解決しようとする課題】
【０００６】
本考案の主な目的は、袋本体に設けられた目盛りにより魚の長さを計測し、占有空間が小さいだけでなく、携帯し易く、使い易く、収容機能及び長さ測定機能を兼備えるとともに、使い捨てすることができるため、消毒・洗浄しなくとも伝染病の感染を防ぐことができる長所を有し、使用し易く、高効率かつ実用的な、魚類の長さ測定用の袋を提供することにある。
本考案のもう一つの目的は、構造が簡素で効果が高く、ユーザのニーズを満たし、効果が高い、魚類の長さ測定用の袋を提供することにある。
【課題を解決するための手段】
【０００７】
上記課題を解決するために、本考案の第１の形態によれば、一般の透明状袋体からなる袋本体と、前記袋本体の適宜な位置に設けられ、サイズ標示機能を有する目盛りと、を備えることを特徴とする魚類の長さ測定用の袋が提供される。
【０００８】
前記目盛りは、目盛り貼紙により代替されることが好ましい。
【考案の効果】
【０００９】
本考案の魚類の長さ測定用の袋は、以下（１）及び（２）の効果を有する。
（１）袋本体に設けられた目盛りにより魚の長さを計測し、占有空間が小さいだけでなく、携帯し易く、使い易く、収容機能及び長さ測定機能を兼備えるとともに、使い捨てすることができるため、消毒・洗浄しなくとも伝染病の感染を防ぐことができる長所を有し、使用し易く、高効率かつ実用的である。
（２）構造が簡素で効果が高く、ユーザのニーズを満たし、効果が高い。
【図面の簡単な説明】
【００１０】
【図１】図１は、従来の魚類測定用スケール板を示す斜視図である。
【図２】図２は、従来の魚類測定用スケール板の使用状態の説明図である。
【図３】図３は、本考案の一実施形態に係る魚類の長さ測定用の袋を示す斜視図である。
【図４】図４は、本考案の他の実施形態に係る魚類の長さ測定用の袋を示す分解斜視図である。
【図５】図５は、本考案の一実施形態に係る魚類の長さ測定用の袋の使用状態の説明図である。
【考案を実施するための形態】
【００１１】
以下、本考案の実施形態について図に基づいて説明する。なお、これによって本考案が限定されるものではない。
【００１２】
まず、図３及び図４を参照する。図３及び図４に示すように、本考案の一実施形態に係る魚類の長さ測定用の袋は、少なくとも袋本体１及び目盛り２から構成されてなる。
【００１３】
袋本体１は、一般の透明状袋体からなる。
【００１４】
目盛り２は、袋本体１の適宜な位置に設けられる。目盛り２は、魚体の長さを測定するために用いる。目盛り２は、印刷されるか、目盛り貼紙５又は塗布描画などの方式で袋本体１の適宜な位置に設けられてもよい。
【００１５】
続いて、図３及び図４と併せて図５を参照する。図５に示すように、本考案の一実施形態に係る魚類の長さ測定用の袋には、複数の目盛り２（又は目盛り貼紙５）が設けられる。まず、袋本体１に適量の浄化水を注入して魚を入れた後、酸素を注入し、袋本体１の開口を適宜、バインディング装置６で縛ると、目盛りにより魚類の長さが測定可能であり、常時、占有空間を小さくするだけでなく、携帯し易く、使い易く、収容機能及び長さ測定機能を兼備え、使い捨てにすることができるため、消毒・洗浄する必要がなく、伝染病の感染を防ぐことができ、構造が簡素で効果に優れ、ユーザのニーズを満たし、十分な運用が可能で、高効率かつ実用的である。
【００１６】
上述した部材の組合せにより、魚体４を収容して使用する際、直接、袋本体１に活魚を入れて容易に搬送することができる上、袋本体１に設けられた目盛り２により魚体４の長さを計測することができるため、活魚を搬送する機能を備えるとともに、目盛り２により魚体４の長さを記録する測定ツールとして用いることができる。そのため、魚類測定用のスケール板３を使用する度に消毒する必要がなく、魚体４を魚類測定用のスケール板３に置いて魚体４の長さを測定してから、袋へ入れて搬送するなどの煩雑なステップも必要無く、魚体４がスケール板３の上面で転がって測定が不便となり、最悪の場合、魚体４が傷ついて死んだり伝染病に感染したりすることを防ぐことができる。このように、本考案は、収容及び計量の二重の目的を達成することができる上、使い易く、高効率かつ実用的である。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  袋本体
２  目盛り
３  スケール板
４  魚体
５  目盛り貼紙
６  バインディング装置
【図１】
0003218685.tif 000003
【図２】
0003218685.tif 000004
【図３】
0003218685.tif 000005
【図４】
0003218685.tif 000006
【図５】
0003218685.tif 000007
(57)【要約】【課題】暗い中でも、車輪が取り付けられた物体を視認しやすくするための車輪の提供。【解決手段】車輪１は、軸部３と軸部３に外装されるタイヤ部２とからなる車輪であって、タイヤ部２は、蓄光材料を含む素材で成形されている。また、軸部３は、タイヤ部２をタイヤ部２の内径から支えるホイール部４を含んでいる。【選択図】図１
0003218681.tif 000002
【実用新案登録請求の範囲】
【請求項１】
軸部と前記軸部に外装されるタイヤ部とからなる車輪であって、
前記タイヤ部は、蓄光材料を含む素材で成形されたことを特徴とする車輪。
【請求項２】
前記軸部は、前記タイヤ部を前記タイヤ部の内径から支えるホイール部を含むことを特徴とする請求項１に記載の車輪。
【考案の詳細な説明】
【技術分野】
【０００１】
本考案は、軸部と軸部に外装されるタイヤ部とからなる車輪に関する。
【背景技術】
【０００２】
車輪は、移動させたい物体の下部に取り付けられ、接地面上で回転させることで、車輪が取り付けられた物体を移動させることができる機構を指す。様々な場面で用いられるが、消灯後の室内や夜間といった暗い中では、車輪が取り付けられた物体を視認することが難しかった。これに対し、対象となる物体又は車輪自体に反射板（特許文献１）や蓄光器（特許文献２）等を取り付けることで、視認性を向上させることが広く行われている。
【先行技術文献】
【特許文献】
【０００３】
【特許文献１】特開２０１６−４３９１４号公報
【特許文献２】実登３１６８０８９号公報
【考案の概要】
【考案が解決しようとする課題】
【０００４】
しかし、反射板や蓄光器といった車輪と別体の光源の装着は、取り付ける手間がかかる、車輪径によって取り付けられない場合がある、費用がかかる、といった理由から敬遠される傾向があった。
【０００５】
そこで、本考案では、車輪と別体の光源を取り付ける必要がなく、暗い中でも、車輪が取り付けられた物体を視認しやすくするための車輪の提供を目的とする。
【課題を解決するための手段】
【０００６】
上記目的を達成するために、請求項１に記載の考案は、軸部と前記軸部に外装されるタイヤ部とからなる車輪であって、タイヤ部は、蓄光材料を含む素材で成形されたことを特徴とする。
請求項２に記載の考案は、請求項１の構成に加え、軸部は、タイヤ部をタイヤ部の内径から支えるホイール部を含むことを特徴とする。
【考案の効果】
【０００７】
請求項１に記載の考案によれば、タイヤ部が蓄光材料を含む素材で成形されているため、消灯後の室内や夜間といった暗い中でタイヤ部が発光し、車輪を取り付けた物体を視認しやすい。
請求項２に記載の考案によれば、軸部がホイール部を含むことで、車輪のデザインの多様化を図ることができる。
【図面の簡単な説明】
【０００８】
【図１】車輪の斜視図である。
【図２】車輪を装着した例を示す説明図である。
【考案を実施するための形態】
【０００９】
以下、本考案の実施例の形態を図面に基づいて説明する。
図１に示すように、この車輪１は、蓄光材料を含む素材で成形されたタイヤ部２と、シャフト（図示せず）を挿通させるための貫通孔５を備えた軸部３と、軸部３の周囲に設けられ、タイヤ部２の内径からタイヤ部２を支えるホイール部４とからなる。
【００１０】
図２には、装着例として、車輪１を装着した手押し台車７を示した。
貫通孔５へフォーク部６を取り付けて車輪１をキャスタ状とし、手押し台車７の下部に装着している。これにより、暗い中でも車輪が発光することで、手押し台車７の視認性が向上する。
【００１１】
上記形態の車輪１は、軸部３と軸部３に外装されるタイヤ部２とからなる車輪であって、タイヤ部２は、蓄光材料を含む素材で成形されている。また、軸部３は、タイヤ部２をタイヤ部２の内径から支えるホイール部４を含んでいる。
このように構成された車輪１によれば、タイヤ部２が蓄光材料を含む素材で成形されているため、消灯後の室内や夜間といった暗い中でタイヤ部２が発光し、車輪１を取り付けた物体を視認しやすい。さらに、軸部３がホイール部４を含むことで車輪のデザインの多様化を図ることができる。
【００１２】
以上は、本発明を図示例に基づいて説明したものであり、その技術範囲はこれに限定されるものではない。例えば、タイヤ部は、蓄光材料が含まれていれば、主原料を任意に選択可能であり、主原料はゴム類でもシリコン類でもテフロン（登録商標）類でも良い。さらに、タイヤ部の形状も任意選択可能であり、ホイールと一体になったようなものでも良いし、地面との接着面にトレッドパターンを設けても設けなくても良い。加えて、ホイール部の素材は、樹脂製でも金属製であっても良く、ホイール部のデザインも任意に造形して良い。また、装着例として手押し台車を挙げたが、車輪として機能すれば装着先は限定されず、例えば、自転車、三輪車、キャリーバッグ、トランクケース、ハンドパレットトラック、おもちゃ等でも良い。
【符号の説明】
【００１３】
１・・車輪、２・・タイヤ部、３・・軸部、４・・ホイール部、５・・貫通孔。
【図１】
0003218681.tif 000003
【図２】
0003218681.tif 000004